(57)【要約】【課題】地中杭の回転圧入時に土圧が不均一に作用しても傾くことなく垂直姿勢を保持して地盤へ精度良く貫入させる。【解決手段】ヤットコ本体２の下端部に地中杭の中空部の内径と略同じ径の外径を有する長いガイド部６を設け、ヤットコ本体２の下端面に地中杭の上端面に突設された各ボルトを嵌入後回転圧入時の回転方向と同一方向に回転させて掛止することで接続させる掛止溝を設け、ガイド部６を地中杭の中空部に挿入してヤットコ本体２と地中杭とを接続し、回転圧入時にガイド部６が地中杭の傾きを防止する。【選択図】          図１
2004360404.tif 000002
【特許請求の範囲】
【請求項１】
上方が開放された中空の地中杭と同地中杭を地盤へ回転圧入する回転圧入装置の駆動部との間に脱着自在に接続して中継ぎ部材として用いる地中杭打設用ヤットコであって、円筒状のヤットコ本体の下端に地中杭の中空部の内径と略同じ径の外径を有する長い棒状のガイド部をヤットコ本体と同軸心となるように垂設し、ヤットコ本体の下端面に地中杭の上端面の掛止突起を嵌入して回転させることで掛止する掛止溝を設け、地中杭の回転圧入時にガイド部が地中杭の傾きを防止して垂直姿勢を保持できるようにしたことを特徴とする地中杭打設用ヤットコ。
【請求項２】
ヤットコ本体の掛止溝の形状が広い間口から円周方向に伸びる雲形である請求項１記載の地中杭打設用ヤットコ。
【請求項３】
ガイド部が、ヤットコ本体内部の上端から下端を通して下方へ一体的に垂設したものである請求項１又は２記載の地中杭打設用ヤットコ。
【発明の詳細な説明】
【０００１】
【発明の属する技術分野】
本発明は、杭打時に中継ぎ部材として用いるヤットコに関し、詳しくは地中杭が傾くことなく垂直に回転圧入できるようにする技術に関する。
【０００２】
【従来の技術】
従来、支持力が不足する地盤に木材，コンクリート，鋼材等からなる地中杭を複数本打ち込んで荷重を支持している。地中杭は補強すべき地盤に削孔を形成後挿入し、地中杭の上端部にヤットコを接続して杭打ち機で打設している。近年では打設時の騒音を低減するため、オーガスクリューを回動させる駆動装置で地中杭をヤットコとともに回転圧入している。
【０００３】
ところで、杭打時は地中杭に様々な方向から地盤の土圧が不均一に作用するから、所定の位置で垂直に回転圧入させても地中杭がわずかに傾いたりして地盤へ精度良く貫入することが難しかった。
【０００４】
【発明が解決しようとする課題】
本発明が解決しようとする課題は、従来のこれらの問題点を解消し、地中杭が傾くことなく垂直に地盤へ貫入できるようにする地中杭打設用ヤットコを提供することにある。
【０００５】
【課題を解決するための手段】
かかる課題を解決した本発明の構成は、
１）  上方が開放された中空の地中杭と同地中杭を地盤へ回転圧入する回転圧入装置の駆動部との間に脱着自在に接続して中継ぎ部材として用いる地中杭打設用ヤットコであって、円筒状のヤットコ本体の下端に地中杭の中空部の内径と略同じ径の外径を有する長い棒状のガイド部をヤットコ本体と同軸心となるように垂設し、ヤットコ本体の下端面に地中杭の上端面の掛止突起を嵌入して回転させることで掛止する掛止溝を設け、地中杭の回転圧入時にガイド部が地中杭の傾きを防止して垂直姿勢を保持できるようにしたことを特徴とする地中杭打設用ヤットコ
２）  ヤットコ本体の掛止溝の形状が広い間口から円周方向に伸びる雲形である前記１）記載の地中杭打設用ヤットコ
３）  ガイド部が、ヤットコ本体内部の上端から下端を通して下方へ一体的に垂設したものである前記１）又は２）記載の地中杭打設用ヤットコ
にある。
【０００６】
【発明の実施の形態】
本発明では、補強すべき地盤に削孔を形成後地中杭を挿入し、地中杭の中空部にヤットコのガイド部を挿入してヤットコ本体と地中杭とを接続し、ヤットコ本体の上方から回転圧入装置で回転圧入する。この際、地中杭に様々な方向から地盤の土圧が不均一に作用して地中杭が傾こうとするが、ヤットコのガイド部が地中杭の中空部とほぼ密接しているから地中杭の傾こうとする動きを強制的に垂直方向へ案内し、垂直姿勢を保持して地盤へ精度良く貫入できるようになる。
【０００７】
また、ガイド部をヤットコ本体内部の上端から下端を通して下方へ一体的に垂設すると、ガイド部の強度が向上し、高い土圧による負荷が作用しても曲がりや損傷なく円滑に回転圧入できて好ましい。以下、本発明の実施例を図面に基づいて具体的に説明する。
【０００８】
【実施例】
図１は実施例の地中杭打設用ヤットコの外観図、図２は図１のＡ−Ａ断面図、図３は実施例の地中杭打設用ヤットコと地中杭の接続を示す説明図、図４は実施例の接続状態における図１のＢ−Ｂ断面図、図５は実施例のボルトの掛止を示す説明図、図６は実施例の杭打ちの工程を示す説明図である。
【０００９】
図中、１は地中杭打設用ヤットコ、２はヤットコ本体、３は掛止突起、４は上部プレート、５は下部プレート、５ａは嵌入溝、５ｂは掛止溝、６はガイド部、７はコンクリートパイル、７ａは中空部、８はボルト、９は接続部、９ａは掛止溝、１０は回転圧入装置、Ｇは地盤、Ｓは削孔である。
【００１０】
本実施例の地中杭打設用ヤットコ１は、図１に示すように長さ３ｍ、外径４０ｃｍの鋼製の管部材の上下開口部に同径で２５ｍｍ厚の鋼製の上部プレート４と下部プレート５をそれぞれ溶接してヤットコ本体１を構成し、ヤットコ本体１の上部外面の対向する位置に掛止突起３を突設し、長さ６ｍ、外径２６ｃｍの管状の鋼製のガイド部６を上部プレート４から下部プレート５を通して下方へ一体的に垂設している。
【００１１】
下部プレート５には、図２に示すように嵌入溝５ａ及びこれと連通する掛止溝５ｂを等間隔おいて円周に沿う雲形となるように４箇所形成している。また、本実施例の地中杭としてコンクリートパイル７を用い、コンクリートパイル７には図３に示すように前記ガイド部６が挿入できる内径２６±０．５ｃｍの中空部７ａが形成され、コンクリートパイル７の上端外周部には４本のボルト８を等間隔おいてネジ部が露出するように突設している。
【００１２】
本実施例では、図６に示すように杭打ちすべき地盤Ｇに地表からコンクリートパイル７の外径より小さい削孔Ｓをオーガスクリューで所定深さに掘削した後、コンクリートパイル７を削孔Ｓに建て込み、ガイド部６をコンクリートパイル７の中空部７ａに挿入するとともに各ボルト８を地中杭打設用ヤットコ１の嵌入溝５ａにそれぞれ嵌挿して図５に示すように地中杭打設用ヤットコ１を一方向へ回転させて各掛止溝５ｂに各ボルト８を掛止させることで接続する。
【００１３】
次に、地中杭打用設ヤットコ１の掛止突起３を回転圧入装置１０の接続部９の掛止溝９ａに掛止して連結し、回転圧入装置１０を駆動させて地中杭打設用ヤットコ１を前記掛止溝５ｂにボルト８を掛止する方向と同一方向へ回転させることでコンクリートパイル７を地盤Ｇへ回転圧入していく。
【００１４】
ここで、コンクリートパイル７には地質の違いにより様々な方向から地盤Ｇの土圧が不均一に作用してコンクリートパイル７がわずかに傾斜しようとする力が働く。しかし、本実施例では地中杭打設用ヤットコ１のガイド部６をコンクリートパイル７の中空部７ａにほぼ密接状態で挿着されているから、ガイド部６がコンクリートパイル７を垂直方向へ強制的に案内し、垂直姿勢を保持して位置や角度がずれることなく地盤Ｇへ正確に貫入される。
【００１５】
【発明の効果】
以上説明したように、本発明によれば地中杭が不均一な土圧で傾くことなく垂直姿勢を保持して地盤へ精度良く貫入し得る地中杭打設用ヤットコを提供できる。
【図面の簡単な説明】
【図１】実施例の地中杭打設用ヤットコの外観図である。
【図２】図１のＡ−Ａ断面図である。
【図３】実施例の地中杭打設用ヤットコと地中杭の接続を示す説明図である。
【図４】実施例の接続状態における図１のＢ−Ｂ断面図である。
【図５】実施例のボルトの掛止を示す説明図である。
【図６】実施例の杭打ちの工程を示す説明図である。
【符号の説明】
１  地中杭打設用ヤットコ
２  ヤットコ本体
３  掛止突起
４  上部プレート
５  下部プレート
５ａ  嵌入溝
５ｂ  掛止溝
６  ガイド部
７  コンクリートパイル
７ａ  中空部
８  ボルト
９  接続部
９ａ  掛止溝
１０  回転圧入装置
Ｇ  地盤
Ｓ  削孔
【図１】
2004360404.tif 000003
【図２】
2004360404.tif 000004
【図３】
2004360404.tif 000005
【図４】
2004360404.tif 000006
【図５】
2004360404.tif 000007
【図６】
2004360404.tif 000008